(57)【要約】【課題】  第１の方向に裁断されたシート状食品をバラツキなく、短時間で容易に第１の方向とは異なる第２の方向に裁断できるようになり、裁断時の作業性が向上するシート状食品の裁断方法の提供。【解決手段】  シート状食品である卵加工品の裁断方法は、錦糸卵シート４を第１の方向に裁断し積層して包装パック材３に密閉収容した後、包装パック材３内の錦糸卵シート４を、第１の方向とは異なる第２の方向に包装パック材３を介してカッター３１，３２，３３，３４，３５により裁断する。【選択図】図５
2018103333.tif 000002
【特許請求の範囲】
【請求項１】
第１の方向に裁断されたシート状食品を、包装パック材に密閉収容した後、前記包装パック材内の前記シート状食品を、前記第１の方向とは異なる第２の方向に前記包装パック材を介してカッターにより裁断することを特徴とするシート状食品の裁断方法。
【請求項２】
前記シート状食品を積層し、前記包装パック材に密閉収容した後、前記包装パック材内の積層された前記シート状食品を前記第１の方向とは異なる第２の方向に前記包装パック材を介してカッターにより裁断することを特徴とする請求項１に記載のシート状食品の裁断方法。
【請求項３】
前記シート状食品は、前記包装パック材に密閉収容する前に前記第１の方向に細切りされたものであり、前記細切りされた前記シート状食品を積層した加工品ブロックを前記包装パック材に密閉収容した後、前記包装パック材内の前記シート状食品を前記第１の方向に直交する前記第２の方向に前記包装パック材を介してカッターにより裁断することを特徴とする請求項１または請求項２に記載のシート状食品の裁断方法。
【請求項４】
前記包装パック材には、前記加工品ブロックを収容する凹部状の収容部が形成され、前記収容部内に前記加工品ブロックが投入されて前記収容部を密閉する際に所定の脱気をすることを特徴とする請求項１ないしは請求項３のいずれか１項に記載のシート状食品の裁断方法。
【請求項５】
前記包装パック材内の前記加工品ブロックを３つ以上のカット刃で裁断する際に、１回の裁断では２つ以下のカット刃により裁断することを特徴とする請求項１ないしは請求項４のいずれか１項に記載のシート状食品の裁断方法。
【請求項６】
前記包装パック材内の前記加工品ブロックを２つのカット刃で裁断する際に、前記第２の方向で前記シート状食品の中心線に対して線対称の位置で裁断することを特徴とする請求項５に記載のシート状食品の裁断方法。
【請求項７】
包装パック材に密閉収容されたシート状食品を前記包装パック材を介してカッターにより裁断することを特徴とするシート状食品の裁断方法。
【請求項８】
シート状食品を積層した後、包装パック材に密閉収容した後、前記包装パック材内の積層された前記シート状食品を前記包装パック材を介してカッターにより裁断することを特徴とするシート状食品の裁断方法。
【発明の詳細な説明】
【技術分野】
【０００１】
本発明は、シート状食品の裁断方法に関する。
【背景技術】
【０００２】
従来、例えば錦糸卵の様な糸状に加工される食品は、卵シートや大豆シート、小麦シートなどのシート状に焼成されたシート状食品が、まずスリッターなどの機械を通して一方向としての縦方向へ短冊状に細切りされ、次にこの細切りされた薄焼きシートが縦方向と略直交した他方向としての横方向に所定の長さに裁断されて製造される。
【０００３】
このとき、短冊状に細切りされたシート状食品は、１枚ずつ横方向に裁断すると効率的ではないため、縦方向に細切りされたシート形状のまま１０枚程度積み重ねられた後に、まとめて横方向に裁断される。そして、積み重ねられたシート状食品は、縦横に切られた後に、深絞り容器などに入れられてパッキングされる。
【０００４】
このようにシート状食品を短冊状の細切りにした錦糸卵の製造方法としては、例えば、特許文献１または特許文献２に開示されており、湿ってからんだり、もつれ易い対象物を裁断する際に、対象物を乾燥または冷凍させてから裁断して、パッキングする技術が知られている。
【先行技術文献】
【特許文献】
【０００５】
【特許文献１】特開平０６-２０９７４１号公報
【特許文献２】特開平０６-２０９７４２号公報
【発明の概要】
【発明が解決しようとする課題】
【０００６】
しかしながら、短冊状に細切りされたシート状食品を積層したブロック（積層された束）は、横方向へ裁断する際、搬送コンベアにより搬送される過程において、糸状の加工品の向きや、全体的な厚みなどが微妙にバラついてしまい方向が一定しないため、横方向への裁断をした後の整列が乱れ、また縦横に細かく切った後に、深絞り容器などにパッキングするため、さらにバラツキが大きくなり仕上がりが悪くなるという課題があった。
【０００７】
さらに、短冊状に細切りされたシート状食品のブロックは、カッターで横方向へ裁断した後、糸状の加工品が上下左右に広がったり、回転したりしてしまい裁断時の作業性が悪くなるという課題もあった。
【０００８】
なお、短冊状に細切りされたシート状食品のブロックを、手切りで横方向へ裁断する場合、シート状食品のブロックを流す搬送コンベアが間欠的に動くため、裁断のタイミングが取り難く作業性が悪いという問題も生じる。加えて、作業者は、シート状食品のブロックを搬送コンベア上で目分量によって裁断するため、シート状食品のブロックの裁断位置が定まらず、均一な幅で裁断することが困難であるという課題もあった。
【０００９】
また、シート状食品のブロックは、水分を含んでおり、湿った状態であるため、横方向へ裁断するギロチン刃などの刃に付着してしまい横方向への裁断時の作業効率が下がるという問題もあった。
【００１０】
そこで、本発明は、上記事情に鑑みてなされたものであり、第１の方向に裁断されたシート状食品をバラツキなく、短時間で容易に第１の方向とは異なる第２の方向に裁断できるようになり、裁断時の作業性が向上し、かつ仕上がりに優れたシート状食品の裁断方法を提供することを目的とする。
【課題を解決するための手段】
【００１１】
本発明における一態様のシート状食品の裁断方法は、第１の方向に裁断されたシート状食品を、包装パック材に密閉収容した後、前記包装パック材内の前記シート状食品を、前記第１の方向とは異なる第２の方向に前記包装パック材を介してカッターにより裁断する。
【００１２】
本発明における他の態様のシート状食品の裁断方法は、包装パック材に密閉収容されたシート状食品を前記包装パック材を介してカッターにより裁断する。
本発明における他の態様のシート状食品の裁断方法は、シート状食品を積層した後、包装パック材に密閉収容した後、前記包装パック材内の積層された前記シート状食品を前記包装パック材を介してカッターにより裁断する。
【発明の効果】
【００１３】
本発明によれば、第１の方向に裁断されたシート状食品をバラツキなく、短時間で容易に第１の方向とは異なる第２の方向に裁断できるようになり、裁断時の作業性が向上し、かつ仕上がりに優れたシート状食品の裁断方法を提供できる。
【図面の簡単な説明】
【００１４】
【図１】本発明の一態様の卵加工品パッケージを示す斜視図
【図２】同、錦糸卵シートの積層状態を示す斜視図
【図３】同、錦糸卵ブロックが包装パック材に包装される状態を示す斜視図
【図４】同、錦糸卵ブロックが包装パック材に包装された状態を示す斜視図
【図５】同、卵加工品パッケージの製造工程のフローチャート
【図６】同、錦糸卵ブロックの包装工程を示す模式図
【図７】同、裁断機により裁断される前の卵加工品パッケージを示す部分断面図
【図８】同、錦糸卵ブロックの中央が裁断された卵加工品パッケージを示す部分断面図
【図９】同、錦糸卵ブロックの側方の２箇所が裁断された卵加工品パッケージを示す部分断面図
【図１０】同、錦糸卵ブロックが４分割された卵加工品パッケージを示す部分断面図
【図１１】本発明の第１の変形例の錦糸卵ブロックの中央が裁断された卵加工品パッケージを示す部分断面図
【図１２】同、錦糸卵ブロックが２分割された卵加工品パッケージを示す部分断面図
【図１３】本発明の第２の変形例の２つのカット刃によって錦糸卵ブロックの２箇所が裁断された卵加工品パッケージを示す部分断面図
【図１４】同、錦糸卵ブロックが３分割された卵加工品パッケージを示す部分断面図
【発明を実施するための形態】
【００１５】
以下、図面を参照して本発明の形態を説明する。  
なお、以下の説明において、実施の形態に基づく図面は、模式的なものであり、各部分の厚みと幅との関係、夫々の部分の厚みの比率などは現実のものとは必ずしも一致しない。図面の相互間においても互いの寸法の関係や比率が異なる部分が含まれている場合があるので、留意が必要である。
【００１６】
以下、本実施の形態のシート状食品の裁断方法について、卵によるシート状食品を例に挙げ、図面に基づいて詳しく説明する。  
図１は、本発明の一態様の卵加工品パッケージを示す斜視図、図２は錦糸卵シートの積層状態を示す斜視図、図３は錦糸卵ブロックが包装パック材に包装される状態を示す斜視図、図４は錦糸卵ブロックが包装パック材に包装された状態を示す斜視図である。
【００１７】
図１に示すように、卵加工品パッケージ１は、シート状食品が積層された卵加工品である錦糸卵ブロック２と、この錦糸卵ブロック２を密封する例えば、透明なプラスチックフイルムから形成される包装パック材３と、を有して構成されている。
【００１８】
図２に示すように、錦糸卵ブロック２は、一方向として、ここでの縦方向（第１の方向）に短冊状に細切りされた錦糸卵シート４が複数枚に積層された後、図３および図４に示すように、包装パック材３によって密封される。
【００１９】
ここで、包装パック材３は、図３に示すように、下部側となるボトムフィルム材５に凹部状に深絞り加熱加工された収容部６が形成されており、錦糸卵ブロック２が収容部６に投入された後にトップシール材７が収容部６の開口を覆うように被せられる。ボトムフィルム材５およびトップシール材７の厚みは、これらフィルム材を用いて成形した容器本体の大きさや強度などに応じて適宜設定することができ特に限定されないが、既存の深絞り包装機等で使用される２０μｍから３００μｍ程度が好ましい。本実施形態においては厚さ、例えば１５０μｍのボトムフィルム材５および厚さ、例えば６５μｍのトップシール材７を用いて実施した。
【００２０】
そして、包装パック材３は、ボトムフィルム材５およびトップシール材７の収容部６の周囲が熱溶着によるラミネート加工により収容部６内の錦糸卵ブロック２を密閉し、図４に示すように、ボトムフィルム材５およびトップシール材７が積層してラミネート加工された箇所が所定の指定サイズにカットされる。
【００２１】
なお、ボトムフィルム材５およびトップシール材７をラミネート加工する際、錦糸卵ブロック２が投入された収容部６内は、錦糸卵ブロック２が遊ばず崩れない程度に脱気される。
【００２２】
このように、本実施の形態の卵加工品パッケージ１は、縦方向に短冊状に細切りされた錦糸卵シート４が積層された錦糸卵ブロック２が、従来と異なり先に包装パック材３内に密閉される。
【００２３】
この状態から、卵加工品パッケージ１は、図１に示したように、包装パック材３の上から錦糸卵ブロック２が短冊状に細切りされた一方向に略直交した他方向となるここでの横方向（第２の方向）に略等間隔の３箇所の位置で裁断される。
【００２４】
こうして、卵加工品パッケージ１内に密閉収容された錦糸卵ブロック２は、細切りされた縦方向に略直交する横方向に３つのカット部８（図１参照）が形成されて、横方向に略４等分に裁断される。
【００２５】
ここで、さらに詳しく、シート状食品としての卵加工品の裁断方法に関して、図５以降の図面を参照して説明する。図５は卵加工品パッケージの製造工程のフローチャートである。  
図５のフローチャートに示すように、先ず、前工程として、卵加工品の卵、調味料などを調合して原材料を生産ラインにセッティングする（ステップＳ１）。
【００２６】
次に、原材料を焼成機にかけ、シート状の薄焼卵であるシート状卵を焼成する（ステップＳ２）。なお、ここでのシート状卵は、例えば約２００ｍｍ四方の大きさで、厚さは例えば約３ｍｍに成形された薄焼卵となっている。
【００２７】
次に、シート状卵は図５に示すスリットカット工程において、一方向となる縦方向に短冊状の細切りにカットされる（ステップＳ３）。こうして、縦方向に短冊状に細切りされた錦糸卵シート４が製造される。
【００２８】
次に、錦糸卵シート４が図５に示す集積工程において、例えば１０枚積層される（ステップＳ４）。
【００２９】
こうして、錦糸卵シート４が複数枚積層された錦糸卵ブロック２が製造される。なお、錦糸卵ブロック２は、例えば約２００ｍｍ〜２１０ｍｍ四方の大きさで、厚さは例えば約３０ｍｍを有するブロック状となる。
【００３０】
次に、錦糸卵ブロック２は、図５に示す包装工程において、密閉状態に包装される（ステップＳ５）。
【００３１】
ここで、錦糸卵ブロック２の包装工程について、図６を用いて、簡単に説明する。図６は錦糸卵ブロックの包装工程を示す模式図である。
【００３２】
図６に示すように、下部フィルムロッド２１に巻取状となっていたボトムフィルム材５が平板状となって深絞り包装機１４に送られる。この深絞り包装機１４は、上部側の金型２２のヒータによってボトムフィルム材５を加熱して、下部側の金型２３に形成された凹部２４を真空引きすることで、ボトムフィルム材５に凹部状の収容部６を形成する。
【００３３】
なお、収容部６は、例えば約２１０ｍｍ〜約２２０ｍｍ四方の辺を有する表面矩形状であって、深さ例えば約３５ｍｍの凹部形状となるように形成されている。
【００３４】
そして、錦糸卵ブロック２が収容部６に投入される。この収容部６に錦糸卵ブロック２が収容されたボトムフィルム材５は、上部フィルムロッド２５に巻取状となっていたトップシール材７と共にシール機１５に送られる。
【００３５】
シール機１５は、上下の金型２６，２７によって錦糸卵ブロック２が収容された収容部６の周囲を熱処理してラミネート加工する。なお、このとき、錦糸卵ブロック２が投入された収容部６内は、必要に応じて、錦糸卵ブロック２が遊ばず崩れない程度に脱気される。
【００３６】
最後に、錦糸卵ブロック２が収容された収容部６の周囲をカッティング機１６によって、所定の指定サイズにカットされる。
【００３７】
このとき、カッティング機１６は、ボトムフィルム材５およびトップシール材７のラミネート部を収容部６から所定の長さ外側の位置でカットする。こうして、錦糸卵ブロック２は、包装パック材３内で密閉された卵加工品パッケージ１となる。
【００３８】
なお、ここでまでのステップＳ５の包装処理された卵加工品パッケージ１は、内部に密閉収容する錦糸卵ブロック２全体が縦方向に短冊状の細切りだけとなっている。
【００３９】
そのため、次に、卵加工品パッケージ１は図５に示す裁断工程において、内部の錦糸卵ブロック２が縦方向に直交した横方向にここでは４分割に裁断される（ステップＳ６）。
【００４０】
ここで、卵加工品パッケージ１に収容された錦糸卵ブロック２の裁断工程について、図７から図１０を用いて、詳しく説明する。  
図７は裁断機により裁断される前の卵加工品パッケージを示す部分断面図、図８は錦糸卵ブロックの中央が裁断された卵加工品パッケージを示す部分断面図、図９は錦糸卵ブロックの側方の２箇所が裁断された卵加工品パッケージを示す部分断面図、図１０は錦糸卵ブロックが４分割された卵加工品パッケージを示す部分断面図である。
【００４１】
図７に示す裁断機には、３つのカット刃３１，３２，３３が、図示しないエアシリンダに連結されている。これら３つのカット刃３１，３２，３３の刃の厚みは、約２ｍｍ幅で、約２００ｍｍの長さの錦糸卵ブロック２を４分割するため、ここでは隣接するそれぞれの間の距離が約５０ｍｍで離間するように設定されている。
【００４２】
裁断機は、次に図８に示すように、エアシリンダ機構（不図示）によって真ん中のカット刃３１を降下して、卵加工品パッケージ１のトップシール材７の外側から包装パック材３に収容された錦糸卵ブロック２の略中央を裁断して、横方向にカット部８が形成される。即ち、錦糸卵ブロック２は、真ん中のカット刃３１によって、一辺方向（ここでは細切りされた方向）の略中心を通る中心線に沿って包装パック材３を介して裁断される。
【００４３】
そして、裁断機は、図９に示すように、エアシリンダ機構（不図示）によって真ん中のカット刃３１を上昇させると共に、両端のカット刃３２，３３を同時に降下して、錦糸卵ブロック２の側方の２箇所を同時に裁断して、横方向にカット部８が形成される。その後、裁断機は、エアシリンダ機構（不図示）によって両端のカット刃３２，３３を上昇させる。即ち、錦糸卵ブロック２は、両端のカット刃３２，３３によって、真ん中のカット刃３１で裁断された中心線に対して線対称の位置で包装パック材３を介して裁断される。
【００４４】
こうして、卵加工品パッケージ１内の錦糸卵ブロック２は、図１０に示すように、短冊状に細切りされた縦方向に直交した横方向に３つのカット部８が形成されて、ここでは略４等分に裁断される。なお、包装パック材３は、３つのカット刃３１，３２，３３による錦糸卵ブロック２の裁断時において、柔軟に変形するため、これら３つのカット刃３１，３２，３３によって破損されない。
【００４５】
このようにして、錦糸卵ブロック２は、３つ以上、ここでは３つのカット刃３１，３２，３３で裁断される際に、１回の裁断では２つ以下、ここでは真ん中のカット刃３１で裁断された後、両端のカット刃３２，３３により包装パック材３を介して裁断される。
【００４６】
最後に、卵加工品パッケージ１は図５に示す後工程において、金属検出、加熱殺菌、冷凍、箱詰めなどが行われる（ステップＳ７）。
【００４７】
以上に記載したように、本実施の形態の卵加工品を例示したシート状食品の裁断方法では、短冊状に細切りされた錦糸卵シート４が積層された錦糸卵ブロック２が包装パック材３に密閉収容した後に、細切り方向である縦方向に略直交する横方向に裁断して複数、ここでは４分割している。
【００４８】
このとき、初めに、錦糸卵ブロック２の中央を裁断し、その後、錦糸卵ブロック２の側方の複数、ここでは２個所を同時に裁断する。これにより、錦糸卵ブロック２は、裁断方向のバラツキ、ずれを包装パック材３の収容部６内で抑えられるため裁断が容易に行え、糸状の卵の向きや、全体的な厚みなどのバラツキを直す必要がなく裁断時の作業性を向上させ、仕上がりに優れた卵加工品を提供することができる。
【００４９】
そのため、短冊状に細切りされた錦糸卵ブロック２を所望の寸法にバラツキなく見た目もきれいに、短時間で裁断することができる。また、錦糸卵ブロック２のバラツキを防止できるため、複数の糸状の卵がずれて重なり合うことも抑制され、卵加工品パッケージ１の厚さ方向に膨らむことも防止され全体的な厚みが略均一となる。これにより、卵加工品パッケージ１の箱詰めなども容易となる。
【００５０】
さらに、包装パック材３の外側を介して錦糸卵ブロック２を裁断するため、錦糸卵ブロック２が３つのカット刃３１，３２，３３と接触せず、付着することも防止される。
【００５１】
以上の説明から、本実施の形態の卵を原料とするシート状食品の裁断方法は、短冊状に第１の方向に細切りされたシート状食品をバラツキなく、短時間で容易に第１の方向とは異なる第２の方向に裁断できるようになり、裁断時の作業性を向上させ、仕上がりに優れた卵加工品を提供することができる。
【００５２】
（第１の変形例）
図１１は第１の変形例の錦糸卵ブロックの中央が裁断された卵加工品パッケージを示す部分断面図、図１２は第１の変形例の錦糸卵ブロックが２分割された卵加工品パッケージを示す部分断面図である。
【００５３】
図１１および図１２に示すように、真ん中のカット刃３１を降下して、包装パック材３を介して錦糸卵ブロック２の略中央を裁断し、両端のカット刃３２，３３による錦糸卵ブロック２の裁断を行わないことで、錦糸卵ブロック２を２分割に裁断することができる。
【００５４】
（第２の変形例）
図１３は第２の変形例の２つのカット刃によって錦糸卵ブロックの２箇所が裁断された卵加工品パッケージを示す部分断面図、図１４は第２の変形例の錦糸卵ブロックが３分割された卵加工品パッケージを示す部分断面図である。
【００５５】
図１３および図１４に示すように、裁断機に２つのカット刃３４，３５のみを設けて、これら２つのカット刃３４，３５を同時に降下して、包装パック材３を介して錦糸卵ブロック２を２箇所で裁断することで、錦糸卵ブロック２を３分割に裁断することができる。このように、裁断機に設けるカット刃の数は、任意に設定することができ、錦糸卵ブロック２を任意の分割数で裁断することができる。
【００５６】
なお、上述の実施の形態では、卵加工品として薄焼卵を細切りにし積層した錦糸卵ブロック２を裁断する方法について例示したが、これに限定されることなく、包装パック材３を介して厚焼卵などの各種卵加工品を裁断する方法にも適用可能である。さらに、茶巾鮨や、おにぎりなどに用いられる包装パック材３内に収容された積層された薄焼卵を所定の幅寸法で裁断する方法にも適用可能である。
【００５７】
さらには、上述したような卵を原料としたシート状食品の裁断方法に限定されることなく、大豆シート、小麦シートなどの種々のシート状食品の裁断方法にも適用可能である。
【００５８】
上述の実施の形態に記載した発明は、その実施の形態および変形例に限ることなく、その他、実施段階ではその要旨を逸脱しない範囲で種々の変形を実施し得ることが可能である。
【符号の説明】
【００５９】
１…卵加工品パッケージ
２…錦糸卵ブロック
３…包装パック材
４…錦糸卵シート
５…ボトムフィルム材
６…収容部
７…トップシール材
８…カット部
１４…深絞り包装機
１５…シール機
１６…カッティング機
２１…下部フィルムロッド
２２，２３…金型
２４…凹部
２５…上部フィルムロッド
２６，２７…金型
３１，３２，３３，３４，３５…カット刃
【図１】
2018103333.tif 000003
【図２】
2018103333.tif 000004
【図３】
2018103333.tif 000005
【図４】
2018103333.tif 000006
【図５】
2018103333.tif 000007
【図６】
2018103333.tif 000008
【図７】
2018103333.tif 000009
【図８】
2018103333.tif 000010
【図９】
2018103333.tif 000011
【図１０】
2018103333.tif 000012
【図１１】
2018103333.tif 000013
【図１２】
2018103333.tif 000014
【図１３】
2018103333.tif 000015
【図１４】
2018103333.tif 000016
【手続補正書】
【提出日】平成29年12月28日(2017.12.28)
【手続補正１】
【補正対象書類名】明細書
【補正対象項目名】００１１
【補正方法】変更
【補正の内容】
【００１１】
本発明における一態様のシート状食品の裁断方法は、第１の方向に裁断されて細切りされたシート状食品を積層した加工品ブロックを、凹部状の収容部が形成された包装パック材の前記収容部内に密閉収容し、かつ前記収容部を密閉する際に所定の脱気をした後、前記包装パック材内の積層された前記シート状食品を、前記第１の方向とは異なる第２の方向に前記包装パック材を介してカッターにより裁断する。
【手続補正２】
【補正対象書類名】明細書
【補正対象項目名】００１２
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
第１の方向に裁断されて細切りされたシート状食品を積層した加工品ブロックを、凹部状の収容部が形成された包装パック材の前記収容部内に密閉収容し、かつ前記収容部を密閉する際に所定の脱気をした後、前記包装パック材内の積層された前記シート状食品を、前記第１の方向とは異なる第２の方向に前記包装パック材を介してカッターにより裁断することを特徴とするシート状食品の裁断方法。
【請求項２】
前記シート状食品は、卵加工品であることを特徴とする請求項１に記載のシート状食品の裁断方法。
【請求項３】
前記カッターにより積層された前記シート状食品を裁断することにより、錦糸卵が製造されることを特徴とする請求項２に記載のシート状食品の裁断方法。
【請求項４】
前記包装パック材内の前記加工品ブロックを３つ以上のカット刃で裁断する際に、１回の裁断では２つ以下のカット刃により裁断することを特徴とする請求項１ないしは請求項３のいずれか１項に記載のシート状食品の裁断方法。
【請求項５】
前記包装パック材内の前記加工品ブロックを２つのカット刃で裁断する際に、前記第２の方向で前記シート状食品の中心線に対して線対称の位置で裁断することを特徴とする請求項４に記載のシート状食品の裁断方法。